(57)【要約】【課題】篭内への貝類の出し入れに際し、開口の閉鎖作業や開放作業が不要で、出し入れを迅速に行えるようにした。【解決手段】環状のフレーム２を上下に連ね、該環状フレーム２の面内に床網４を張設し、環状フレーム２の外周に側網５を張設するとともに、各フレーム２間を複数のロープ６を介して縦方向に連結することにより、上下フレーム２，２間に前記網で覆われた篭部１Ａを形成した貝類の養殖篭１において、前記篭部１Ａの上部の前記側網の５一部に、常時開口する開口部７を形成した。【選択図】      図１
2011019478.tif 000002
【特許請求の範囲】
【請求項１】
環状フレームを上下に連ね、該環状フレームの面内に床網を張設し、環状フレームの外周に側網を張設するとともに、上下フレーム間を複数のロープを介して縦方向に連結することにより、上下フレーム間に前記網で覆われた篭部を形成した貝類の養殖篭において、
前記篭部の上部の前記側網の一部に、常時開口する開口部を形成したことを特徴とする貝類の養殖篭。
【請求項２】
前記開口部は、その開口上縁が、前記篭部の上部の前記フレームに沿って略Ｖ形若しくは略Ｕ形に開口し、開口部の下方における篭部の外周は前記側網が周方向に連続して形成された形状とされていることを特徴とする請求項１に記載の貝類の養殖篭。
【請求項３】
前記開口部は、その開口上縁が前記篭部の上部の前記フレームに沿って形成され、開口部の下縁中央から下部のフレーム迄の前記側網の左右の合わせ目となる接合線が綴じ糸により接合されていることを特徴とする請求項１又は２記載の貝類の養殖篭。
【請求項４】
前記開口部は、その開口縁部が、綴じ糸により縁取られていることを特徴とする請求項乃至３のいずれかに記載の貝類の養殖篭。
【請求項５】
前記開口部の上縁から下縁のまでの高さ寸法が、前記上下フレーム間で構成される篭部の全高の略１／２以下に設定されていることを特徴とする請求項１乃至４のいずれかに記載の貝類の養殖篭。
【請求項６】
前記開口部の上縁の幅寸法が、前記環状フレームの周長の略１／４以下に設定されていることを特徴とする請求項１乃至５のいずれかに記載の貝類の養殖篭。
【請求項７】
請求項１乃至６のいずれかに記載の養殖篭が、環状フレームを上下多段に連ね、各フレーム面内に両端をフレームに連結し且つ互いに略Ｘ形に交叉する支持フレームを設け、環状フレームの面内における支持フレーム上面に床網を張設し、環状フレームの外周に側網を張設するとともに、各上下フレーム間を複数のロープを介して縦方向に連結することにより各上下フレーム間に前記網で覆われた上下単位篭部を上下多段に形成し、ロープに張力を持たせた状態で水中吊下可能とした連段篭であることを特徴とする貝類の養殖篭。
【発明の詳細な説明】
【技術分野】
【０００１】
本発明は貝類の養殖篭に関し、特に貝類の出し入れを容易にした構造に関する。
【背景技術】
【０００２】
ホタテなどの貝類の養殖用篭においては、水中での養殖中に篭内からの散逸を防止する必要がある反面、篭からの出し入れや、移し替え作業などを迅速に行う必要がある。このため、外周の網の一部に切れ目を入れて開口部とし、閉じるときは綴じ糸を裁縫により縫い合せるようにしていたが、篭を多段に連結した連段篭ではその縫い合せ作業がその段数に応じて行わなければならず、かつ多数の連段篭の縫い合せを行わなければならないため、その作業工数が膨大となり、面倒で手間のかかるものとなっていた。また水中から引上げて取出す際にも綴じ糸をぬく作業が必要であるため、この作業にも手間のかかるものとなっていた。
【０００３】
このため、従来からこの種の作業を簡素化する構造の篭が各種開発されており、開口縁に連接する拡張部を設けてこの拡張部を開口縁に重合状態に巻重ねて、簡易綴じ糸により止める技術（特許文献１）や、開口縁に両側に雌雄のホックを設け、ホック止めするとともに、開く場合には、操作紐を引下ろすことにより、一度に離脱させる技術（特許文献２）や、開口部に内向きであって、開口閉鎖方向に付勢した横筒状の戻り防止部を設け、一旦篭内に投入された貝が外にでることを防止するとともに、取出し時には戻り防止部を外側に引出して振ることにより取出せるようにした技術（特許文献３）などが開発されている。
【先行技術文献】
【特許文献】
【０００４】
【特許文献１】公開実用１−１０９９６９号公報
【特許文献２】実用新案登録第３１１１２７３号公報
【特許文献３】特開２００９−４４８６８号公報
【発明の概要】
【発明が解決しようとする課題】
【０００５】
いずれの技術においても、水中吊下時には、開口を閉じておき、取出し時には閉じた部分を開く作業を必要としており、しかも入替え作業など迅速に行う必要があるため、多くの人工、人件費を必要としていた。
【０００６】
ところで、貝類は動きが少なく、特に牡蠣などは一箇所に定着するものとして知られている。これに対し、ホタテ貝は移動性の貝であるとされ、これを養殖する場合には囲いを設けないと散逸するものと認識されているが、これはタコやヒトデなどの天敵に襲われた際に、一方から吸水し、他方から排水することによる噴射力を利用して安全域に跳躍して移動すること、およびホタテはテリトリ性が強く、同種のホタテが縄張内に入ってくると、排除動作を行うためである。従って、この２つの要因を取除いた場合には、実際にはほとんど動きがないことが観察されている。
【０００７】
ひるがえって、養殖方法として、海底散布方式に比べて養殖篭を用いた水中吊下方式である場合には、天敵に襲われる危険性はほとんどないこと、およびテリトリ性に対しては一つの篭内に適正数のホタテを入れておくことにより、この種の動作も激減し、ホタテであってもほとんど動きがないことが確認されている。
【０００８】
本発明者は、開口部の高さ位置を篭内の高い位置に形成することにより、開口部が形成されていても養殖中の貝の散逸がなく、歩留りが高いこと、および取出す際には篭を逆さにして振るだけの作業により取出しができ、作業の迅速性を図ることができるなどの点を着目した。
【０００９】
本発明は、以上の観点に基づきなされたものであって、その目的とするところは、篭内への貝類の取入取出しに際し、開口の閉鎖作業や開放作業が不要で、取入、取出しを迅速に行えるようにした貝類の養殖篭を提供するものである。
【課題を解決するための手段】
【００１０】
上記目的を達成するため本発明は、図の実施の形態にも示すように、環状のフレーム２を上下に連ね、該環状フレーム２の面内に床網４を張設し、環状フレーム２の外周に側網５を張設するとともに、各フレーム２間を複数のロープ６を介して縦方向に連結することにより、上下フレーム２，２間に前記網で覆われた篭部１Ａを形成した貝類の養殖篭１において、前記篭部１Ａの上部の前記側網の５一部に、常時開口する開口部７を形成したことを特徴とする。
上記フレーム２は、円環状であっても良く、四角などの多角環状であっても良い。
【００１１】
請求項２の発明では、前記開口部７は、その開口上縁が、前記篭部１Ａの上部の前記フレーム２に沿った略Ｖ形若しくは略Ｕ形に、上拡がり漏斗状に開口する形状とされたことを特徴とする。
【００１２】
請求項３の発明では、前記開口部７は、その開口上縁が前記篭部１Ａの上部の前記フレーム２に沿って形成され、開口部７の下縁中央から下部のフレーム２迄の前記側網５の左右の合わせ目となる接合線８が綴じ糸８ａにより接合されていることを特徴とする。
【００１３】
上記構成による養殖篭１を製造する時には、シート状の網の両側縁に、開口部７の半分の形状の開口半部を切欠き形成し、両側縁の合わせ目に開口部７が形成されるように、開口部７の下縁中央から下部のフレーム２迄であって、下部の開口部７の上縁中央まで、側網５の左右の合わせ目となる接合線８を綴じ糸８ａにより結合して、製造することができる。
側網５として、筒状に編んだ網を用いることも可能である。その場合には、筒状網の上下方向線の位置に、開口部７になる切欠きを予め形成しておく。
【００１４】
請求項４の発明では、前記開口部７は、その上縁を除く開口縁部が、綴じ糸７ａにより縁取られていることを特徴とする。
上記綴じ糸７ａは、切り欠かれた開口縁部のほつれ止めとなるが、綴じ糸７ａとして、側網５（黒、青などの暗色系）とは色違いの色糸（黄、赤などの明色系）を用いることにより、開口部７の位置が容易に判別され、貝類の出し入れ作業を容易に行わせることができる。
【００１５】
請求項５に示されるように、前記開口部７の上縁から下縁のまでの高さ寸法が、前記上下フレーム２，２間で構成される篭部１Ａの全高の略１／２以下に設定されていることが望ましい。
【００１６】
請求項６に示されるように、前記開口部７の上縁の幅寸法が、前記環状フレーム２の周長の略１／４以下に設定されていることが望ましい。
【００１７】
開口部７の高さと幅を上記の範囲とすることにより、貝類が逃げ出さず、しかも、貝類の出し入れが容易となる。
【００１８】
本発明の対象となる貝類の養殖篭は、上下フレームの間に１個の篭部１Ａを有する単一篭であっても良いが、下記連段篭とすることにより、本発明の目的をより高度に達成させることができる。すなわち、請求項７では、環状フレーム２を上下多段に連ね、各フレーム２面内に両端をフレーム２に連結し且つ互いに略Ｘ形に交叉する支持フレーム３を設け、環状フレーム２の面内における支持フレーム３上面に床網４を張設し、環状フレーム２の外周に側網５を張設するとともに、各上下フレーム２，２間を複数のロープ６を介して縦方向に連結することにより各上下フレーム２，２間に前記網で覆われた上下単位篭部１Ａを上下多段に形成し、各ロープ６の上端を養殖筏に係止し、各ロープ６の下端に錘を連結することにより、ロープに張力を持たせた状態で水中吊下可能とした連段篭であることを特徴とする。
【発明の効果】
【００１９】
本願の発明では、篭部側面の上部に常時開放型の開口部を設けることにより、貝の出入れ毎の綴じ合せや開放作業が不要であり、出し入れを迅速かつ簡単に行うことができる。篭を逆さにした状態で開口縁が最大幅となるため、取出しやすい。開口部の下部は側網により閉鎖されていることから、水中への吊り下げ状態において、貝類が逃げ出すことはない。
【００２０】
請求項２記載の発明では、開口部からの貝類の散逸を確実に防止でき、取出し時には逆さにして振るだけで貝類の取出しを一層容易に行うことができる。
【００２１】
請求項３記載の発明では、本発明に係る貝類の養殖篭を効率よく製造させることができる。
【００２２】
請求項４記載の発明では、開口部の縁部のほつれ止め機能を有するとともに、開口部の位置が容易に判別され、貝類の出し入れ作業を容易に行わせることができる。
【００２３】
請求項５又は６記載の発明では、取出し時には逆さにして振るだけで貝類の取出しを容易に行うことができ、しかも開口部からの貝類の散逸を確実に防止することができる。また、篭部の大きさ及び環状フレームの周長に応じて、開口部の大きさを適当に定めることができる。
【００２４】
請求項７の発明では、多数の貝類の同時育成に好適であり、また、貝類の荷重を分散し、重さによる床網の過度のたるみを防止できるほか、支持フレームによりテリトリを画成できるため、特にホタテなどのテリトリ性の強い貝類の育成に好適である。
【図面の簡単な説明】
【００２５】
【図１】本発明を適用した連段篭の斜視図である。
【図２】同正面図および底面図である
【発明を実施するための形態】
【００２６】
図１および図２は、本発明に係る養殖篭を、連段篭に適用した例を示している。養殖篭１は、樹脂被覆鋼線からなる複数のリング状フレーム２と、各フレーム２の面内に十字形に交叉してその両端を連結された同じく樹脂被覆鋼線からなる１対の支持フレーム３とを備え、フレーム２の面内に床網４を張設するとともに、フレーム２を上下多段に連ね、その外周に同じく側網５を張設する。さらに、各フレーム２と支持フレーム３の両側連結端の４箇所に合計４本の吊りロープ６を順次結び目６ａを介して各フレーム２を縦方向に連結するとともに、各ロープ６の上端をループ状に結束し、このループ６ｂを養殖筏（図略）に係止し、各ロープ６下端に錘（図略）を連結することにより、ロープ６に張力を持たせた状態で養殖篭１を水中に懸垂吊下するものであり、上下のフレーム２と各網４，５で囲われた上下複数の育成空間を単位篭部１Ａとしてそれぞれの内部で貝類を育成するものである。
【００２７】
なお、各図では篭部１Ａを２段または３段として描かれているが、実際には養殖地の水深に応じて１０〜２０段と、さらに多段に形成されている。篭部１Ａを１段とすることもできる。また、支持フレーム３は床網４に加わる貝の荷重を分散し、床網４の過度のたるみを防止するものであり、２段目以降は床網４の下面に配置される。
【００２８】
さらに図では、床網４、側網５共に適宜な交叉線によって描いた簡略図形としているが、実際には、床網５はフレーム２の中心、すなわち支持フレーム３の交点を中心として放射状に広がる所定メッシュの網目形状とした菱目網形状であり、側網６は、これと連続あるいは連結して縦方向に連なる所定メッシュの菱目網形状に編組され、フレーム２に巻かれたロープなどに網目を交叉状に固定させることにより、各網４，５のフレーム２の周方向に対する移動や、偏在などを防止している。床網４及び側網５を、角目網により形成させることもできる。
【００２９】
従って、図示のごとき水中吊下状態では、上下のフレーム２間の中央が細径となる鼓状をなして多段に吊下されるものとなる。
【００３０】
以上に加えて、各側網５の上部側の一部には、上側フレーム２を上部開口縁とし、下方に向けて略Ｖ字形若しくは略Ｕ字形に収束する開口部７が形成され、その下部中心を下部側フレーム２に接合線８を介して接続する略Ｙ字形とされている。接合線８は、側網５の左右の合わせ目が、綴じ糸８ａにより結合されることにより形成される。
【００３１】
開口部７の上縁から下縁までの高さ寸法は上部側フレーム２と下部側フレーム２間の高さをＨとした場合、上部側から略１／２Ｈから１／４Ｈの寸法に設定している。またその上部側における最大開口幅は交叉する支持フレーム３間の幅、すなわちフレーム２の周長の略１／４以下の長さに設定している。
【００３２】
開口部７の、上縁を除く周縁には、ほつれ止め用の綴じ糸７ａが設けられている。
開口部７および接合線８の綴じ糸７ａ，８ａは、各網４，５の一般部（黒色又は青色よりなる暗色）と異なる派手な色（赤糸又は黄色よりなる明色）のプラスチックのモノフィラメント又は縒り紐などにより縁取りすることにより形成され、ほつれ止め作用の他、水中より引上げた状態で開口部７の位置を直ちに目視確認できるようになっている。
【００３３】
以上の養殖篭１をホタテ貝の育成に適用した場合について説明する。前述のごとく、ホタテはテリトリ性が高く、縄張を侵されると同種同士でもテリトリ内に侵入したものを攻撃して排斥しようとする。また、タコ、ヒトデなどの天敵が近づくと危険を察知し、跳躍して安全な場所に移動する傾向にある。それ故従来ではこの種の養殖篭では、全閉形とすることにより、ホタテの散逸を防止し、歩留り確保することを念頭においてより簡単な開閉構造が開発されていたが、その逆にテリトリが確保されることや、天敵によって攻撃されない限りは、一箇所にとどまりやすく、特に成貝の動きは少なくなる。
【００３４】
例えば、養殖篭１つ当りに４個の成貝を投入し、最終育成を行う場合、最終的には支持フレーム３がテリトリを画成するラインとなり、支持フレーム３で仕切られた合計４つのエリア内をテリトリとして成貝がそれぞれの位置を確保し、それぞれのエリア内の底部である床網４のハンモック効果により、無用な移動はなくなるものとなる。
【００３５】
また、上部側１／２Ｈの高さ程度の開口部７を形成した場合、成貝の場合には、例えばフレーム２の直径が５０ｃｍ、フレーム２間の全高Ｈを２０ｃｍ程度とすることにより、上部１０ｃｍ程度のところに開口部７の下縁が位置していても、成貝の跳躍力の上限を越えた高さ位置のところに開口部７が位置しているため、開口部７を設けたことによる散逸を防止できる。
【００３６】
さらに、各網４，５のメッシュは成貝の大きさに適合した目の大きさとすることにより、海水や、酸素、プランクトンの栄養分の流通性が高く、育成が増加するととも、海草や藻の付着や繁殖が少ないものとなる。
【００３７】
育成日時が目標に到達したならば、養殖篭１を水中から引上げ、陸上にて逆さにして養殖篭１を振るだけの作業により、成貝は開口部７から出され、収穫が行われることになる。
【００３８】
なお、稚貝の育成用養殖篭に適用した場合には、その大きさに見合ったメッシュの網４，５を用いるとともに、各フレーム２間の高さ寸法Ｈを小さく設定し、開口部７の高さを１／２Ｈ以下に設定しても、前記と同様高い歩留りで稚貝の育成を行うことができ、入れる場合には目測で適正稚貝数を判定した上でスコップを用いて篭内に投入し、出す場合には逆さにして振るだけの作業で取出すことができる。
【００３９】
さらに本発明は、ホタテ貝の養殖篭だけでなく、例えば牡蠣のごとく、その育成に海底の岩場や砂、泥などを必ずしも必要としない貝類一般に適用できることは勿論である。
【符号の説明】
【００４０】
１  養殖篭
１Ａ  篭部
２  フレーム
３  支持フレーム
４  床網
５  側網
６  ロープ
６ａ  結び目
６ｂ  ループ
７  開口部
７ａ    綴じ糸
８  接合線
８ａ    綴じ糸
【図１】
2011019478.tif 000003
【図２】
2011019478.tif 000004